(57)【要約】【課題】  発光源の照射範囲を簡単に変更できるとともに、コストの削減も可能にする。【解決手段】  前面に透光性の表示部を設けた前面パネルと、前面パネルにおける表示部の裏面側に配置される合成樹脂製のランプハウジング１３と、ランプハウジング１３の後部を閉塞する基板２２と、ランプハウジング１３内に配置され、表示部を裏面側から照射する発光源２１とを有する。ランプハウジング１３は、枠体１４と、枠体１４内を表示部に対応するように仕切る遮光板部１５とが一体形成される。遮光板部１５と枠体１４との境界部分に脆弱部１７を設け、脆弱部１７を切断することにより、遮光板部１５を枠体１４から切り離し可能とする。【選択図】        図４
2005087503.tif 000002
【特許請求の範囲】
【請求項１】
前面に透光性の表示部を設けた前面パネルと、該前面パネルにおける前記表示部の裏面側に配置される合成樹脂製のランプハウジングと、該ランプハウジングの後部を閉塞する基板と、前記ランプハウジング内に配置され、前記表示部を裏面側から照射する発光源とを有する遊技機の表示装置において、
前記ランプハウジングは、枠体と、該枠体内を前記表示部に対応するように仕切る遮光板部とが一体形成されるとともに、前記遮光板部と前記枠体との境界部分に脆弱部を設け、該脆弱部を切断することにより、前記遮光板部を前記枠体から切り離し可能としたことを特徴とする遊技機の表示装置。
【請求項２】
遮光板部の後部に、基板に設けた被係合部に係合可能な係合部を設けたことを特徴とする請求項１記載の遊技機の表示装置。
【請求項３】
遮光板部と枠体との境界部分に、前後方向のスリットを設けることによって、狭幅の脆弱部を形成するとともに、発光源から前記スリットに向かう光を遮光可能な遮光壁部を前記スリットに沿って設けたことを特徴とする請求項１または２記載の遊技機の表示装置。
【請求項４】
複数枚の遮光板部のうち、少なくとも一枚の遮光板部と枠体との境界部分には脆弱部を設けないことを特徴とする請求項１〜３のいずれかに記載の遊技機の表示装置。
【発明の詳細な説明】
【技術分野】
【０００１】
本発明は、パチンコ機、スロットマシン等の遊技機の表示装置に関する。
【背景技術】
【０００２】
パチンコ機、スロットマシン等の遊技機の表示装置は、前面に透過性の表示部及び各種情報を表示した前面パネルと、前面パネルの表示部の裏面側に配置される枠状の合成樹脂製のランプハウジングと、ランプハウジング内に配置され、前面パネルの表示部を裏面側から照明するランプとを有している（例えば、特許文献１、２参照）。
【特許文献１】特許第２５５４６７３号公報
【特許文献２】特開平６−２５４２１３号公報
【発明の開示】
【発明が解決しようとする課題】
【０００３】
特許文献１に開示された遊技機の表示装置においては、ランプハウジングが枠体と枠体内を上下方向に仕切る遮光板とを一体的に形成した一体構造となっているため、遮光板の位置、数の変更が実質的に不可能である。このため、遊技テーマの変更に伴う表示部の変更に応じて、ランプの照射範囲を変更することができない。よって、遊技テーマ毎に専用のランプハウジングが必要となり、ランプハウジングの共用化ができず、コストの上昇を招く問題を有する。
【０００４】
特許文献２に開示された遊技機の表示装置においては、ランプハウジングの枠体と枠体内を上下方向に仕切る遮光板とを別体で形成して、遮光板を枠体に設けた溝に挿入することにより、枠体内を表示部に対応するように区切って、ランプの照射範囲を定めている。また、遊技機の遊技テーマの変更に伴って、ランプの照射範囲を変更する必要が生じた場合には、照射範囲を変更する箇所に対応する遮光板を枠体から外すことによって、照射範囲を簡単に変更できる利点がある。しかし、その反面、枠体に対する遮光板の組付け作業を常時必要とするため、遮光板の組み付け位置を検査する検査工程が必要になる等して、組付け作業の効率が低下する。
さらには、枠体と遮光板とが別体で形成されるため、枠体と遮光板とを成形するための金型が個々に必要となってコスト高を招く問題を有する。
【０００５】
本発明は、前記従来の問題に鑑み、発光源の照射範囲を簡単に変更できるとともに、コストの削減も可能にした遊技機の表示装置を提供することを目的とする。
【課題を解決するための手段】
【０００６】
本発明によると、上記課題は、次のようにして解決される。
（１）  前面に透光性の表示部を設けた前面パネルと、該前面パネルにおける前記表示部の裏面側に配置される合成樹脂製のランプハウジングと、該ランプハウジングの後部を閉塞する基板と、前記ランプハウジング内に配置され、前記表示部を裏面側から照射する発光源とを有する遊技機の表示装置において、前記ランプハウジングは、枠体と、該枠体内を前記表示部に対応するように仕切る遮光板部とが一体形成されるとともに、前記遮光板部と前記枠体との境界部分に脆弱部を設け、該脆弱部を切断することにより、前記遮光板部を前記枠体から切り離し可能とする。
【０００７】
（２）  上記（１）項において、遮光板部の後部に、基板に設けた被係合部に係合可能な係合部を設ける。
【０００８】
（３）  上記(１)または(２)項において、遮光板部と枠体との境界部分に、前後方向のスリットを設けることによって、狭幅の脆弱部を形成するとともに、発光源から前記スリットに向かう光を遮光可能な遮光壁部を前記スリットに沿って設ける。
【０００９】
（４）  上記(１)〜(３)項のいずれかにおいて、複数枚の遮光板部のうち、少なくとも一枚の遮光板部と枠体との境界部分には脆弱部を設けない。
【発明の効果】
【００１０】
本発明によれば、次のような効果が奏せられる。
（１） 請求項１記載の発明によると、遮光板部と枠体との境界部分に脆弱部を設け、脆弱部を切断することにより、遮光板部を枠体から切り離し可能としたことにより、遊技テーマの変更に伴う表示部の変更に応じて、発光源の照射範囲を簡単に変更することができる。
また、枠体と遮光板部とが一体に形成されるので、遮光板部を枠体に対して組み付ける必要がなく、組付性の向上を図ることができるとともに、コストの削減を図ることができる。
【００１１】
（２） 請求項２記載の発明によると、基板に設けた被係合部に遮光板部の係合部を係合させることにより、遮光板部を安定した状態で保持することができる。
【００１２】
（３）  請求項３記載の発明によると、遮光板部と枠体との境界部分に、前後方向のスリットを設けることによって、狭幅の脆弱部を形成するとともに、発光源からスリットに向かう光を遮光可能な遮光壁部をスリットに沿って設けたことにより、脆弱部を簡単に形成することができるとともに、発光元の区画室から隣の区画室への光漏れを最小限に抑えることが可能となる。
【００１３】
(４)  請求項４記載の発明によると、脆弱部が設けられていない遮光板部により、枠体の剛性を高めることができる。
【発明を実施するための最良の形態】
【００１４】
図１は、本発明の一実施形態を適用した遊技機（スロットマシン）の斜視図で、前面の上下扉を開けた状態を示す。図２は、上扉の分解斜視図、図３は、ランプハウジングの分解斜視図である。
図１に示すように、遊技機(１)における筐体(２)の前面には、上下に分離された上下方向を向く軸回りに回動可能な上扉(３)及び下扉(４)がそれぞれ開閉可能に枢支されている。
【００１５】
筐体(２)の内部には、外周面に複数種類の図柄が付記された円筒状の３個の回胴体(5a)(5b)(5c)により構成される可変表示装置(５)と、遊技媒体であるメダルを貯留及び放出するホッパーユニット(６)と、遊技機(１)の電気部品（例えば、遊技を制御する主基板(７)、回胴体(5a)(5b)(5c)を回動させるモータ、ホッパーユニット(６)のモータ、各種ランプ等）に電力を供給する電源装置が内蔵された電源ボックス(８)が配置される。
【００１６】
下扉(４)の前面には、遊技時にメダルが投入されるメダル投入口(図示略)、メダルをゲームに投資するときに操作されるベッドスイッチボタン(図示略)、可変表示装置(５)における回胴体(5a)(5b)(5c)の回転を開始させるときに操作されるスタートレバー(図示略)、回胴体(5a)(5b)(5c)の回転を停止させるときに操作されるストップスイッチボタン(図示略)等が配置されている。上扉(３)のほぼ中央部には、矩形の表示窓(3a)が設けられている。
【００１７】
本実施形態おける遊技機(１)は、メダルをメダル投入口に所定枚数投入して、ベッドスイッチボタンを操作した後、スタートレバーを操作して、回胴体(5a)(5b)(5c)を回転させることによって遊技が開始される。回胴体(5a)(5b)(5c)を回転させた後は、各回胴体(5a)(5b)(5c)に対応する各ストップスイッチボタンを順次操作して、各回胴体(5a)(5b)(5c)の回転を個別に停止させることにより、入賞有効ライン（上中下段の３本のラインと、中央で×点状に交わった２本のラインとからなる５本のライン）上に並ぶ各回胴体(5a)(5b)(5c)の図柄の組み合わせをもって、入賞の有無、及び賞の大小に応じたメダルの配当枚数が決定される。入賞した場合には、予め定めた入賞枚数分だけホッパーユニット(６)からメダルが払い出される。
【００１８】
次に、本発明の特徴部分である遊技機（１）の表示装置について説明する。
表示装置は、図２示すように、前面に上下方向に５個の透光性の有効ライン表示部(12)を設けた正面視矩形の前面パネル(９)と、前面パネル(９)の有効ライン表示部(12)の裏面側に配置される合成樹脂製のランプハウジング(13)と、主に図４〜図６に示すように、ランプハウジング(13)の後部に固定されるとともに、ランプハウジング(13)の後部を閉塞する基板(22)と、基板(22)の前面側に取り付けられることによりランプハウジング(13)内に配置され、有効ライン表示部(12)を裏面側から照射する発光源(21)とを有している。図２に示す(10)は、前面パネル(９)の外周縁に設けられる縁部材である。
【００１９】
前面パネル(９)は、アクリル板等により形成されて、上扉(３)における表示窓(3a)の前面に取り付けられるとともに、その中央部には、各回胴体(5a)(5b)(5c)の図柄を３コマずつ表示可能な矩形の透視部(11)が設けられ、また透視部(11)の左方には、有効ライン表示部(12)が設けられている。なお、本実施形態においては、有効ライン表示部(12)は、上下方向に５個並設されるが、その数は限定されない。
【００２０】
基板(22)は、ランプハウジング(13)の後部にネジ(図示略)により固定されることにより、ランプハウジング(13)の後部を閉塞する。発光源(21)は、ランプ、発光ダイオード等により形成されるとともに、各有効ライン表示部(12)に対応するように、基板(22)の前面側に取り付けられ、有効ライン表示部(12)の裏面側を照射する。
【００２１】
有効ライン表示部(12)は、メダル投入枚数に応じた有効ライン数を表示するためのもので、例えば、投入メダル数が１枚の場合には、中央に位置する上から３段目の表示部に「１」の数字が表示され、２枚の場合には、上から２段目と４段目の表示部に「２」の数字が表示され、また、３枚の場合には、最上段と最下段の表示部に「３」の数字が表示される。
【００２２】
ランプハウジング(13)は、上壁(14a)、底壁(14b)、及び左右の側壁(14c)(14c)から形成される前後面が開放する矩形の枠体(14)と、左右の側壁(14c)(14c)間に架設されるとともに、各有効ライン表示部(12)に対応するように、枠体(14)内を上下方向に仕切る５枚の遮光板部(15)(16)とを有し、これら枠体(14)及び遮光板部(15)(16)は、合成樹脂材により一体成型される。
【００２３】
また、ランプハウジング(13)は、左右の側壁(14c)(14c)の下部に設けられた嵌合溝(14d)(14d)が上扉(３)の表示窓(3a)の下縁に嵌合されるとともに、左側の側壁(14c)に外側面に設けられた取付部(14e)がネジ(図示略)により上扉(３)に固定されることにより、前面パネル(９)の表示部(12)の裏面に対向する箇所に取り付けられる。
【００２４】
５枚の遮光板部(15)(16)のうち、真ん中（上から３段目）の遮光板部(16)を除く他の４枚の遮光板部(15)は、左右の側壁(14c)(14c)との境界部分である両端部が脆弱部(17)を介して左右の側壁(14c)(14c)に接続され、必要に応じて脆弱部(17)を切断することにより、枠体(14)から切り離し可能に形成されている。また、真ん中の遮光板部(16)には脆弱部が形成されていない。これにより、真ん中の遮光板部(16)は、枠体(14)から実質的に切り離し不能であって、枠体(14)の剛性を高める作用を有している。
【００２５】
主に図７及び図８に示すように、遮光板部(15)と側壁(14c)(14c)との境界部分には、前後のスリット(18)(18)を設ける。これにより、遮光板部(15)の両端における前後方向の中央部に、遮光板部(15)の奥行寸法より狭幅の脆弱部(17)が形成される。
【００２６】
遮光板部(15)を左右の脆弱部(17)を中心にして前後方向に捻ることにより、脆弱部(17)が切断され、遮光板部(15)を枠体(14)から簡単に切り離すことができる。
【００２７】
遮光板部(15)に両端部には、スリット(18)に沿って上下方向に所定量突出する遮光壁部(19)が設けられている。この遮光壁部(19)は、発光源(21)からスリット(18)に向かう光を遮光可能であって、スリット(18)が直接照射されないように形成される。これにより、例えば、上からの一段目の遮光板部(15)により区切られた一番上の区画室（発光元）を照明する発光源(21)の照明が、スリット(18)からその下（隣）の区画室への光漏れを最小限に抑えることが可能となる。
【００２８】
遮光板部(15)の後端中央部には、後方へ突出する係合部をなす突部(20)が設けられている。この突部(20)は、基板(22)に設けられた被係合部なす係合孔(23)に係合されることにより、基板(22)の組み付け状態において、脆弱部(17)を中心にする遮光板部(15)の捩じれを阻止して、遮光板部(15)を安定した状態で保持する。
【００２９】
各遮光板部(15)により区切られる各区画室は、上下方向に５個並設される有効ライン表示部(12)に対応して５室形成される。したがって、遊技機（１)の遊技テーマを変更しない場合には、遮光板部(15)を枠体(14)から切り離すことなく、ランプハウジング(13)は、そのままの形態で使用される。
【００３０】
遊技機（１)の遊技テーマの変更に伴って、有効ライン表示部(12)の数が、例えば５個から３個に変更されて、発光源(21)の照射範囲を変更する場合には、照射範囲を変更する箇所に対応する遮光板部(15)を、上述のようにして、枠体(14)から切り離すことにより、照射範囲を簡単に変更することができる。
【図面の簡単な説明】
【００３１】
【図１】本発明の一実施形態を適用した遊技機の斜視図である。
【図２】上扉の分解斜視図である。
【図３】ランプハウジングの分解斜視図である。
【図４】ランプハウジングの正面図である。
【図５】図４におけるＶ−Ｖ線縦断面図である。
【図６】図４におけるVI−VI線縦断面図である。
【図７】図４におけるVII−VII線横断面図である。
【図８】図４におけるVIII−VIII線横断面図である。
【符号の説明】
【００３２】
(１)遊技機
(２)筐体
(３)上扉
(3a)表示窓
(４)下扉
(５)可変表示装置
(5a)(5b)(5c)回胴体
(６)ホッパーユニット
(７)主基板
(８)電源ボックス
(９)前面パネル
(10)縁部材
(11)透視部
(12)有効ライン表示部（表示部）
(13)ランプハウジング
(14)枠体
(14a)上壁
(14b)底壁
(14c)側壁
(14d)嵌合溝
(14e)取付部
(15)(16)遮光板部
(17)脆弱部
(18)スリット
(19)遮光壁部
(20)突部（係合部）
(21)発光源
(22)基板
(23)係合孔（被係合部）
【図１】
2005087503.tif 000003
【図２】
2005087503.tif 000004
【図３】
2005087503.tif 000005
【図４】
2005087503.tif 000006
【図５】
2005087503.tif 000007
【図６】
2005087503.tif 000008
【図７】
2005087503.tif 000009
【図８】
2005087503.tif 000010